(57)【要約】  無線メディアセンターなどの無線ネットワーク装置（４）は、送信および／または受信極性ダイバーシティを提供するように配置される、直交して分極されたアンテナ（６ａ、６ｂ）を有する。アンテナは、それらのヌルが一致しないように配置して、方向にともなうゲインにばらつきが少ない復号化されたアンテナパターンを生成することができる。このアンテナは一所に置いてもよいが、直交して配置してもよい。好ましくは、復号化されたアンテナパターンは、高度および方位においてほぼ全指向性である。この構成によって、３Ｄ環境において均一な受信可能範囲が提供される。送信機は、分極時間ブロック符号を用いてデータを送信することができる。無線ネットワークで使用される無線受信機（１０、１８）は、１つのアンテナまたは２つの直交して分極されたアンテナを有していてもよい。受信機（１０、１８）は受信された信号に最大比合成を適用する。信号はＯＦＤＭ信号であってもよく、受信機は各々の周波数チャネルに別個に最大比合成を適用する。アンテナは、平坦な線形または環状スロットアンテナであってもよく、強度に分極されたビームをもたらすものであり、かつ、装置のハウジングと一体化することができる。
2008504774.tif 000002
【特許請求の範囲】
【請求項１】
第１および第２の直交して分極されたビームを送信するためのアンテナ構成を有し、かつ、第１および第２のビームの間で冗長性を有して変調された記号として、デジタル処理で変調されたデータを伝送するように構成される、無線ローカルエリアネットワーク装置。
【請求項２】
記号は、分極時間ブロック符号を用いて伝送される、請求項１に記載の装置。
【請求項３】
各々の記号は、第１の期間では変調されずに伝送され、第２の期間では複素共役として伝送される、請求項２に記載の装置。
【請求項４】
記号は対になって符号化され、第１の期間では、各対の記号は変調されずに伝送され、第２の期間では、対の一方は複素共役として伝送されるのに対し、対の他方は負の複素共役として伝送される、請求項３に記載の装置。
【請求項５】
直交周波数分割多重を用いてデータを伝送するように構成される、先行するいずれかの請求項に記載の装置。
【請求項６】
各々の変調された記号は、周波数に冗長性を有して伝送される、請求項１に記載の装置。
【請求項７】
第１および第２のビームは各々、少なくとも１つのヌルを含む指向性ビームであり、第１の指向性ビームは第２の指向性ビームのヌルと重なる、先行するいずれかの請求項に記載の装置。
【請求項８】
アンテナ構成は、第１および第２のスロットアンテナを含む、先行するいずれかの請求項に記載の装置。
【請求項９】
第１および第２のアンテナは、直交して配置されたスロットを有する線形スロットアンテナである、請求項８に記載の装置。
【請求項１０】
前記アンテナ構成は、環状スロットアンテナを含む、請求項７に記載の装置。
【請求項１１】
１つまたは複数の実質的な平面を有するハウジングを含み、第１のアンテナおよび第２のアンテナの各々は、実質的に平坦であり、かつ、前記実質的な平面の１つに平行して設けられる、先行するいずれかの請求項に記載の装置。
【請求項１２】
第１および第２のアンテナの各々は、実質的な平面の１つとほぼ同一平面上にある、請求項１１に記載の装置。
【請求項１３】
１つまたは複数の実質的な平面は導電性を有する、請求項１１または１２に記載の装置。
【請求項１４】
データはメディアストリームを含む、先行するいずれかの請求項に記載の装置。
【請求項１５】
装置は、ローカルエリアネットワークの外部のソースからメディアストリームのコンテンツを受信するための手段を含む、請求項１４に記載の装置。
【請求項１６】
受信するための手段は、テレビ放送受信機を含み、前記装置は、テレビ放送受信機によ
って受信されたテレビ番組を、メディアストリームとして、ローカルエリアネットワークを通じて送信するように構成される、請求項１５に記載の装置。
【請求項１７】
装置は、テレビ番組を、ローカルエリアネットワークを通じて送信する前に保存するための手段を含む、請求項１６に記載の装置。
【請求項１８】
装置は、前記メディアストリームを、前記ネットワークを通じて受信機装置に送信し、ローカルエリアネットワークを通じて受信機装置から受信されたコマンドに応答して、メディアストリームのコンテンツを変更するように構成される、請求項１４から１７のいずれか１つに記載の装置。
【請求項１９】
直交する極性を有する第１および第２の信号を受信するためのアンテナ構成を有し、かつ、直交する極性の間で冗長性を有して送信された、デジタル処理で変調されたデータを受信するように構成される、無線ローカルエリアネットワーク装置。
【請求項２０】
前記装置は、最大比合成を用いて、第１および第２の信号を介して受信されたデータを復号化するように構成される、請求項１９に記載の装置。
【請求項２１】
データは、分極時間ブロック符号を用いて符号化される、請求項１９または２０に記載の装置。
【請求項２２】
アンテナ構成は、各々が少なくとも１つのヌルを有する第１および第２の指向性ビームを生成するように構成され、第１の指向性ビームは第２の指向性ビームのヌルと重なる、請求項１９から２１のいずれか１つに記載の装置。
【請求項２３】
アンテナ構成は、１つまたは複数のスロットアンテナを含む、請求項２２に記載の装置。
【請求項２４】
アンテナ構成は、直交して設けられたスロットを有する第１および第２の線形スロットアンテナを含む、請求項２３に記載の装置。
【請求項２５】
１つまたは複数の実質的な平面を有するハウジングを含み、１つまたは複数のスロットアンテナは、実質的に平坦であり、かつ、前記実質的な平面の１つに平行して設けられる、請求項２３または２４に記載の装置。
【請求項２６】
１つまたは複数のスロットアンテナは各々、前記実質的な平面の１つと実質的に同一平面上にある、請求項２５に記載の装置。
【請求項２７】
１つまたは複数の実質的な平面は導電性を有する、請求項２５に記載の装置。
【請求項２８】
データはメディアストリームを含み、装置は、前記メディアストリームを復号化および出力するように構成される、請求項１９から２７のいずれか１つに記載の装置。
【請求項２９】
メディアストリームは、符号化されたビデオストリームを含み、装置は、符号化されたビデオストリームを出力する前に復号化するように構成される、請求項２８に記載の装置。
【請求項３０】
メディアストリームは暗号化され、装置は、暗号化されたメディアストリームを出力する前に解読するように構成される、請求項２８または２９に記載の装置。
【請求項３１】
メディアストリームのコンテンツを変更するために、ローカルエリアネットワークを通じて制御コマンドを送信するための手段を含む、請求項２８から３０のいずれか１つに記載の装置。
【請求項３２】
第１および第２の直交する極性の間で冗長性を有して、デジタル処理で変調されたデータを送信するように構成される送信機と、各々が前記デジタル処理で変調されたデータを受信するように構成される１つまたは複数の受信機とを含む、無線ローカルエリアネットワーク。
【請求項３３】
受信機のうち少なくとも１つは、直交する極性を有する第１および第２の信号でデータを受信するように構成される、請求項３２に記載のネットワーク。
【請求項３４】
少なくとも１つの受信機は、最大比合成を用いてデータを復号化するように構成される、請求項３３に記載のネットワーク。
【請求項３５】
データは、分極時間ブロック符号を用いて送信される、請求項３２から３４のいずれか１つに記載のネットワーク。
【請求項３６】
送信機は、１つまたは複数のメディアストリームを、ネットワークを通じて１つまたは複数の受信機に送信するように構成される、請求項３２から３５のいずれか１つに記載のネットワーク。
【請求項３７】
送信機は、ローカルエリアネットワークの外部のソースから１つまたは複数のメディア番組を受信するように構成され、前記１つまたは複数のメディアストリームは、前記１つまたは複数のメディア番組から引出される、請求項３６に記載のネットワーク。
【請求項３８】
送信機は、前記１つまたは複数のメディア番組を受信するための放送受信機を含む、請求項３７に記載のネットワーク。
【請求項３９】
メディア番組は、送信機によって受信される前に暗号化され、１つまたは複数の受信機は、前記暗号化されたメディア番組から引出されたメディアストリームを解読するように構成される、請求項３７または３８に記載のネットワーク。
【請求項４０】
受信機のうち少なくとも１つは、その受信機によって受信されたメディアストリームのうちの１つのコンテンツを変更するために、制御コマンドを無線ネットワークを通じて送信機に送信するための手段を含む、請求項３６から３９のいずれか１つに記載のネットワーク。
【請求項４１】
少なくとも第１および第２のアンテナを有し、かつ、第１および第２のアンテナの間で冗長性を有して変調されたデータを送信するように構成され、アンテナの各々の遠視野パターンは、指向性ビームとヌルとを含み、第１のアンテナのビームは、第２のアンテナのヌルと重なるように構成される、無線ローカルエリアネットワーク装置。
【請求項４２】
第１および第２のアンテナは、直交して分極される、請求項４１に記載の装置。
【請求項４３】
第１および第２のアンテナは、スロットアンテナである、請求項４２に記載の装置。
【請求項４４】
第１および第２のアンテナは、直交して設けられたスロットを有する線形スロットアンテナである、請求項４３に記載の装置。
【請求項４５】
１つまたは複数の実質的な平面を有するハウジングを含み、第１および第２のアンテナの各々は、実質的に平坦であり、かつ、前記実質的な平面の１つに平行して配置される、請求項４１から４４のいずれか１つに記載の装置。
【請求項４６】
第１および第２のアンテナの各々は、実質的な平面の１つと実質的に同一平面上にある、請求項４５に記載の装置。
【請求項４７】
１つまたは複数の実質的な平面は導電性を有する、請求項４５または４６に記載の装置。
【請求項４８】
第１および第２の平行な導電性の面であって、これらの面の間に導電性の縁部を有する第１および第２の面と、前記面の間に第１および第２の面の寸法より実質的に小さい厚みを有する空洞と、第１の導電性の面に線形スロットと、空洞内のほぼ中央に、かつ、スロットに直交して配置されるストリップ導体とを含む、線形スロットアンテナ。
【請求項４９】
第２の面は、接地平面上に取付けられる、請求項４８に記載のアンテナ。
【請求項５０】
接地平面は、無線ネットワーク装置のハウジングにおける平坦な導電性の面である、請求項４９に記載のアンテナ。
【請求項５１】
平坦な導電性の面と、平坦な導電性の面上に取付けられる線形スロットアンテナとを含むハウジングを有する、無線ネットワーク装置。
【請求項５２】
第１および第２の平行な導電性の面であって、これらの面の間に導電性の縁部を有する第１および第２の面と、第１および第２の面の間に第１および第２の面の寸法より実質的に小さい厚みを有する空洞と、第１の導電性の面に環状スロットと、空洞内のほぼ中央に、かつ、環状スロットの周囲と直交して配置される、少なくとも第１および第２の互いに角度をずらしたストリップ導体とを含む、環状スロットアンテナ。
【請求項５３】
第２の面は、接地平面上に設けられる、請求項５２に記載のアンテナ。
【請求項５４】
接地平面は、無線ネットワーク装置のハウジングにおける平坦な導電性の面である、請求項５３に記載のアンテナ。
【請求項５５】
分極されたビームを生成するために、第１および第２のストリップ導体の間で位相差のある信号を受信するように配置される、請求項５２から５４のいずれか１つに記載のアンテナ。
【請求項５６】
第１および第２の平行な導電性の面であって、これらの面の間に導電性の縁部を有する第１および第２の面と、第１および第２の面の間に第１および第２の面の寸法より実質的に小さい厚みを有する空洞と、第１の導電性の面に環状スロットと、空洞内のほぼ中央に、かつ、環状スロットの周囲に直交して、等角度に間隔をおいて配置される第１、第２および第３のストリップ導体とを含む、環状スロットアンテナ。
【請求項５７】
第１および第２の平行な導電性の面はほぼ六角形である、請求項５６に記載のアンテナ。
【請求項５８】
分極されたビームを生成するために、第１のストリップ導体で信号を受信し、第２のストリップ導体でその信号を逆相で受信するように構成される、請求項５６または５７に記載のアンテナ。
【請求項５９】
第３のストリップ導体で信号を逆相で受信するようにさらに構成される、請求項５８に記載のアンテナ。
【請求項６０】
各々の前記逆相の信号は、第１のストリップ導体における信号のほぼ片振幅を有する、請求項５９に記載のアンテナ。
【請求項６１】
平坦な導電性の面と、平坦な導電性の面上に取付けられる環状スロットアンテナとを含むハウジングを有する無線ネットワーク装置。
【請求項６２】
１つまたは複数のメディアストリームを、ローカルエリアネットワークを通じて１つまたは複数の受信機に送信するように構成される無線メディア装置であって、前記装置は、第１および第２の直交して配置される線形スロットアンテナを含み、かつ、時空間ブロック符号を用いて、第１および第２のアンテナを介して前記１つまたはメディアストリームを送信するように構成される、無線メディア装置。
【請求項６３】
１つまたは複数のメディアストリームを、ローカルエリアネットワークを通じて１つまたは複数の受信機に送信するように構成される無線メディア送信機を含む無線メディアネットワークであって、前記送信機は、第１および第２の直交して分極された線形スロットアンテナを含み、かつ、前記１つまたはメディアストリームを、分極時間ブロック符号を用いて、第１および第２のアンテナを介して送信するように構成され、１つまたは複数の受信機は、最大比合成を用いて、第１および第２のアンテナから受信された信号を復号化するための手段を含む、無線メディアネットワーク。
【請求項６４】
ローカルエリアネットワークを通じて、１つまたは複数のメディア番組を受信し、かつ、前記１つまたは複数のメディア番組を送信するように構成される無線メディアゲートウェイ装置であって、前記装置は、第１および第２の直交して配置される線形スロットアンテナを含み、かつ、前記１つまたはメディアプログラムを、時空間ブロック符号を用いて、第１および第２のアンテナを介して送信するように構成される、無線メディアゲートウェイ装置。
【発明の詳細な説明】
【技術分野】
【０００１】
発明の分野
この発明は、無線ネットワークシステムおよびそのシステムで使用される装置に関し、特に無線ネットワークを通じたメディアコンテンツの伝送のためのそのようなネットワークおよび装置に関するが、それ専用というわけではない。特に、この発明は、無線ローカルエリアネットワーク（ＷＬＡＮ）を通じてビデオコンテンツを配信するビデオ放送受信機に適用可能である。
【背景技術】
【０００２】
発明の背景
デジタルメディアコンテンツが広く一般に利用可能である中で、デジタル処理で符号化および圧縮されたオーディオおよびビデオファイルのような、一群のデジタルメディアコンテンツを保存および再生するためのメディアセンターの開発に強い関心が持たれてきた。特に、無線家庭用メディアセンターから、要求に応じて、ユーザの住宅内に配置されている無線オーディオおよびビデオプレーヤに、選択されたメディアファイルが配信されることが望ましい。
【０００３】
現在、最も広く実施されているＷＬＡＮ規格は、ＩＥＥＥ８０２．１１ｂおよびｇ規格であり、これらの規格は、見積りでそれぞれ１１および５４Ｍｂｐｓのビットレートを提供する。特にＩＥＥＥ８０２．１１ｇ規格は、より高いビットレートであるという点から、無線家庭用メディアシステムを対象に採用されている。ＭＰＥＧ−２で符号化されたビデオストリームには２から９Ｍｂｐｓが必要であり、ＨＤＴＶストリームには約２０Ｍｂｐｓが必要であるので、一見して、少なくとも１つのビデオストリームを伝達するにはＩＥＥＥ８０２．１１ｇ規格が好適であると思われる。
【０００４】
実際には、８０２．１１ｇ規格に基づく無線家庭用メディアシステムは、いくつかの理由から、消費者にとって満足のいく性能を提供していなかった。まず、この規格は高い信号伝達オーバーヘッドを含み、かつ、かなり非効率なストップアンドウエイト媒体アクセス制御（ＭＡＣ）方法を用いているので、結果として、理想的な条件においてさえも、アプリケーション層には約１６Ｍｂｐｓしか利用できない。次に、送信機と受信機とが同じ室内にない場合の家庭の環境は、相当なブロッキングを引き起こし、たとえば、壁が１０ｄＰの減衰を招くことがある。受信機と送信機との間の距離が大きくなるほど、大きな伝搬損失を招く。さらに、ユーザに対して、メディアセンターを理想的な中央の位置に理想的な向きで配置するように求めることはできない。さらに、８０２．１１ｂ／ｇで用いられる２．４ＧＨｚ帯は、家庭用電子レンジおよびBluetooth機器からの干渉を受ける。最後に、人が住宅内を移動すると、送信された信号に高速のフェージングがかかる。その結果、既存の無線ネットワーク技術では一定の必要最小限の帯域幅を確実に提供できないため、８０２．１１ｇ規格のネットワークは、典型的な住宅内に１つの高品質ビデオストリームでさえ確実に配信することができないのである。
【０００５】
解決策はいくつか提案されている。たとえば、ViXsのシステムは、利用可能なＷＬＡＮ帯域幅をモニタリングし、かつ、ビデオ符号化レートをリアルタイムで変更することを含み、それによって安定したフレームレートを維持する。帯域幅が小さくなるにつれてビデオ品質は低下するが、誤りレートは許容できる水準に保たれて、フレームが失われることはない。マジス（Magis）のAir５TMシステムは、８０２．１１ａ規格を修正し、異なるサービス品質（QoS）レベルを提供して、ビデオが他のデータより優先されるようにしている。
【発明の開示】
【発明が解決しようとする課題】
【０００６】
受信機でメディアストリームをバッファリングすることで、利用可能な帯域幅のばらつきをある程度までは克服することができる。しかしながら、受信機のユーザがメディアストリームのコンテンツを変更すること、たとえば、チャネルを変更すること、またはプログラムの巻戻しか早送りを望んでいる場合、この解決策は双方向システムには適していない。バッファリングによって引き起こされる遅延によって、それに応じた遅れが、ユーザからのコマンドへの応答に生じ、この遅れは、特にユーザがチャネルをすばやく変えて「サーフィン」することを望んでいるときは、許容できるものではない。
【０００７】
無線メディアセンターのさらなる用途は、ビデオ放送を受信し、かつ、それらを無線リンクを通じて配信するための放送ゲートウェイである。たとえば、SkyTMデジタル放送受信機は、オーディオおよびビデオ出力を、遠隔制御コマンドのための返信リンクを伴なうアナログ無線リンクを介して、遠隔ディスプレイに中継させるtvLINKTM機能を含む。このシステムは、単純なポイントツーポイント無線リンクを提供するものであり、複数の装置が独立して無線オーディオ／ビデオストリームを受信可能にするものではなく、再送信の前にアナログ変換を行なうことで品質が多少損なわれてしまう。
【０００８】
デジタル放送受信機は、復号キーが付いたカードを有する受信契約者のみがそのサービスにアクセスできるようにデジタル著作権管理（ＤＲＭ）を実行するために、放送を暗号化されたフォーマットで受信できる。典型的には、暗号化されていない放送は、アナログフォーマットで受信機から出力されるだけなので、コンテンツの再配信には必ず品質の損失が伴う（さらに、大半のテレビセットにはアナログビデオ入力しかないという理由がある）。この場合、無線ネットワーク上の性能を向上させるためにメディアストリームを再符号化することはできない。それは、送信前に復号化が必要となるので、そうすると、暗号化されていないデータにデジタル形式で簡単にアクセスできるようになってしまうからである。たとえデータが送信前に再度暗号化されたとしても、送信機には、再暗号化の技術が備わっていなければならず、その送信機からは必要な復号キーを比較的容易に引出せる可能性がある。したがって、提案されている解決策の少なくとも１つは、ＤＲＭと互換性がない。
【課題を解決するための手段】
【０００９】
発明の内容
この発明の一局面に従って、送信極性ダイバーシティおよび／または受信極性ダイバーシティを与えるために直交して分極されたアンテナが設けられた無線ネットワーク装置が提供される。その利点は、極性ダイバーシティによって、高速フェージングに対する抵抗が高まり、かつ、装置の向きに対する感度が小さくなるということにある。
【００１０】
アンテナは、アンテナのヌルが重ならないように配置して、ゲインに実質的なばらつきのない複合化されたアンテナパターンを生成するようにしてもよい。アンテナは、一所に配置してもよいが、直交して配置させてもよい。好ましくは、複合化されたアンテナパターンは、立面図では実質的に半球形であり、方位は全指向性である。その利点は、３Ｄ環境で均一な受信可能範囲を提供するということにある。
【００１１】
アンテナは、ハウジングの外側に物理的に突出することがないように、装置のハウジング内に組込まれてもよく、またはハウジング上に取付けられてもよい。ハウジングが立方形である場合、アンテナは、ハウジングの面の１つまたは複数と同一平面にあってもよい。その利点として、アンテナが損傷する危険性が減り、アンテナを設置したり整列させたりする必要がないのでより使いやすく、さらに、ハウジングが導電性を備えている場合、
アンテナの接地平面としてハウジングを便利に使用できるということがある。
【００１２】
この発明は、２つの直交して分極されたアンテナを有する送信機と、１つのアンテナまたは２つの直交して分極されたアンテナを有する受信機とを含む無線ネットワークシステムを提供することができる。後者の場合、受信機は、２つのアンテナを介して受信した信号に最大比合成を適用できる。送信機は、分極時間ブロック符号を用いてデータを送信できるので、ゲインおよびフェージングに対する抵抗が向上する。
【００１３】
送信機は、ＯＦＤＭを用いて送信できる。好ましくは、受信機は、各々の周波数チャネルに対し、別個に最大比合成を適用する。送信機は、５．２ＧＨｚ帯域のような、屋内機器からの干渉を実質的に受けることのないスペクトルで送信可能である。無線ネットワークの物理層は、８０２．１１ａ規格に類似していてもよい。
【００１４】
送信機は、無線ネットワークを通じてデジタルメディアコンテンツを配信するために設けられた無線メディアセンターであってもよい。送信機は、送信前にコンテンツを保存してもよい。送信機は、コンテンツを、ネットワークを通じて配信する前に、放送として受信してもよい。送信機は、受信機のユーザから受信したコマンドに応答して、送信されるメディアコンテンツを変更してもよい。
【００１５】
この発明の別の局面に従って、１つの主な面にスロットを有する細い空洞と、スロットに直交して、空洞内のほぼ中央に延在するストリップ導体とを含むスロットアンテナが提供される。スロットは、線形であってもよいし、環状であってもよい。アンテナは、高度に分極されたビームを発生させることができる。アンテナは、無線装置における、接地平面をなす導電面に簡便に取付けることができる。この装置は、ハウジングの同じまたは異なる面上に直交して配置される２つのそのようなアンテナを有していてもよい。アンテナは、たとえば直交して交差するスロットを有して、それらのスロットが同じ接地平面に対して平行に、直交する状態で、一所に配置されてもよい。
【００１６】
この発明の特定の実施例を、ここで添付の図面を参照して説明する。
【発明を実施するための最良の形態】
【００１７】
実施例の詳細な説明
無線メディア配信ネットワーク
図１は、この発明のある実施例における、ローカル無線メディア配信に用いられる無線ネットワークを示す。無線ゲートウェイ４は、ブロードキャストリンク２からメディアコンテンツを受信する。ブロードキャストリンク２は、衛星またはケーブルテレビブロードキャストリンクであってもよく、その場合、無線ゲートウェイは、衛星テレビ受信機もしくはケーブルテレビ受信機またはブロードバンドインターネット接続などの外部ネットワークへの接続を含み、その場合、無線ゲートウェイ４は、ブロードバンドモデムなどの外部ネットワークアダプタを含む。ブロードキャストリンクは、１つまたは複数のメディアチャネルを有していてもよく、各々のチャネルは、オーディオ番組および／またはビデオ番組を含む。
【００１８】
無線ゲートウェイ４は、番組のうちの１つまたは複数を、保存のため、および／または１つまたは複数の無線受信機１０、１８に配信するために選択するように設けられる。この例では、第１の無線受信機１０は、テレビなどの視聴覚ディスプレイ１２に接続され、かつ、無線ゲートウェイ４からオーディオ信号およびビデオ信号を受信して、視聴覚ディスプレイ１２に出力する。第１の無線受信機１０は、遠隔制御１４からのコマンドを受信し、そのコマンドは、オーディオ信号および／またはビデオ信号を変更するために、無線ゲートウェイ４に中継されて戻される。たとえば、このコマンドによって、オーディオ信
号およびビデオ信号のチャネルおよび／または番組を変更してもよく、無線ゲートウェイ４に保存されている番組内を後方または前方に移動してもよい。
【００１９】
第２の無線受信機１８は、オーディオプレーヤ２０に接続され、かつ、無線ゲートウェイ４からオーディオ信号を受信して、オーディオプレーヤ２０に出力する。オーディオプレーヤ２０からユーザ入力によって生成されたコマンドは、オーディオ信号を変更するために無線ゲートウェイ４に中継されて戻され、たとえば、オーディオチャネルまたはオーディオ番組が変更されるか、または無線ゲートウェイに保存された番組内を後方または前方に移動する。
【００２０】
極性ダイバーシティ
無線ゲートウェイは、直交する極性を有する１対のアンテナ６ａ、６ｂを介して送受信する。アンテナは完全に直交している必要はないが、これら２つのアンテナが大きく離されるほど、システムの性能は向上する。
【００２１】
第１の受信機１０は、同じく直交する極性を有する１対のアンテナ８ａ、８ｂを介して受信し、かつ、それらアンテナの一方または両方を介して送信してもよい。第２の受信機１８は、単一のアンテナ１６を有し、そのアンテナを介して送信アンテナ６ａ、６ｅの両方から信号を受信する。単一のアンテナ１６に極性を与える必要はない。
【００２２】
直交して分極された受信アンテナおよび送信アンテナを用いることで、極性ダイバーシティが与えられるが、直交する極性は異なる時間に異なる量で減衰する可能性が高いので、極性ダイバーシティは高速フェージングを克服するのに役立つ。２つのアンテナ８ａ、８ｂによって受信された信号は、より大きい振幅の信号が復調器への入力として選択されるように切換えられてもよいし、またはこの２つの信号を、復調の前に２つの信号の合計された振幅が最大化するように可変フェーズを選択して、最大比合成を用いて複合するようにしてもよい。複数の送信アンテナおよび複数の受信アンテナを有するこのようなシステムは、ＭＩＭＯ（多重入力、多重出力）システムとして知られている。
【００２３】
分極時間ブロック符号化
たとえば、「無線通信のための簡単な伝送ダイバーシティ技法（A simple transmit diversity technique for wireless communications）」、アラモーティー（Alamouti）M、選択された通信エリアに関するＩＥＥＥジャーナル（IEEE Journal on Selected Areas in Communications）、第１６巻、第８号、１９９８年１０月、および米国特許６，１８５，２５８（「アラモーティー」）に記載され、かつ、「無線通信のための時空間ブロック符号化：性能結果（Space-time block coding for wireless communications: performance results）」、タロック（Tarokh）V、ジャファルカーニ（Jafarkhani）H、カルダーバンク（Calderbank） A R、選択された通信エリアに関するＩＥＥＥジャーナル（IEEE Journal on Selected Areas in Communications）、第１７巻、第３号、１９９９年３月、４５１行目から４６０行目（「タロック」）に一般論が述べられているように、時空間ブロック符号化（ＳＴＢＣ）の極性ダイバーシティへの適用により、より大きいゲインが得られる。アラモーティーによって提案されているコード体系では、伝送されるデータは、各々２つの記号ｓ1、ｓ2を含むブロックにマップされる。この記号は、伝送に用いられる変調方式の変調記号に対応する。時間間隔ｔ1およびｔ2における２つの送信アンテナａ1、ａ2への出力は、以下のとおりである。
【００２４】
【表１】
2008504774.tif 000003
【００２５】
表中、*は複素共役を表す。
代替的に、これらの記号は、異なる時間ではなく、２つの異なる周波数で伝送されてもよい。受信機では、受信された信号がチャネル推定器および結合器に与えられて、２つの記号ｓ1、ｓ2を回復させる最尤検出器への入力となる。
【００２６】
この技法は、図２に示すこの発明の実施例に適用されている。無線ゲートウェイ４は、伝送すべきデータストリームをマッパ２２に出力し、マッパは、データを対の記号にマップし、これらの記号は符号器２４に出力され、符号器は、上記のような記号、記号の負号および複素共役を生成する。第１のアンテナ６ａへの出力は第１の変調器２６ａによって変調され、第２のアンテナ６ｂへの出力は第２の変調器２６ｂに出力され、そしてこれらの出力が送信される。
【００２７】
どの時点においても送信される２つの記号は、２つの送信アンテナ６ａ、６ｂの間で異なる極性を持って送信されるが、受信アンテナ８ａ、８ｂで受信される信号は各々、両方の記号の成分を含み、その位相シフト、極性および減衰は可変である。異なる構成要素を介した反射および伝送の結果として、記号間で直交する極性は、伝送時に保存されることはない。さらに、送信アンテナ６ａ、６ｂの極性は、受信アンテナ８ａ、８ｂの極性と合わせる必要はない。
【００２８】
第１の無線受信機１０において、各々のアンテナ８ａ、８ｂからの入力が、それぞれの復調器２８ａ、２８ｂによって復調され、その結果が、それぞれのチャネル推定器３２ａ、３２ｂおよび最尤検出器３０に出力されて、送信された記号が引出される。この結果は、デマッパ３４によって記号からデータストリームにデマップされ、後続の段に出力される。
【００２９】
図３に第２の無線トランシーバ１８の事例を示すように、かつ、アラモーティーで説明されているように、ＳＴＢＣはまた、１つの受信アンテナのみでも使用できることに留意されたい。
【００３０】
したがって、好ましい実施例は、分極時間ブロック符号化（ＰＴＢＣ）を用いる。
異なるダイバーシティ技法の効果を、以下に示すように、７つの動作モードの各々について、狭帯域８０２．１１ａシミュレータを用いてテストした。
【００３１】
【表２】
2008504774.tif 000004
【００３２】
図４ａおよび図４ｂは、いかなるダイバーシティ技法も用いていない状態の、信号対雑音比（ＳＮＲ）に対する５４バイトのパケットサイズのビット誤りレート（ＢＥＲ）およびパケット誤りレート（ＰＥＲ）を示す。図５ａおよび図５ｂは、２つの送信アンテナおよび１つの受信アンテナによるＰＴＢＣを用いた等価の結果を示し、一方、図６ａおよび図６ｂは、２つの送信アンテナおよび２つの受信アンテナによる同等の結果を示す。
【００３３】
ＯＦＤＭ
上述の分極時間ブロック符号化は、ＯＦＤＭなどの広帯域伝送および狭帯域伝送に適用可能である。ＯＦＤＭでは、データストリームは複数の直交する周波数チャネルの間で冗長的に多重送信されるので、マルチパスフェージングなどのラジオチャネルの周波数選択式フェージングを克服するのに役立つ。たとえば、「周波数選択式フェージングチャネルのための時空間符号化送信機ダイバーシティ技法（A space-time coded transmitter diversity technique for frequency selective fading channels）」、リー（Lee）K Fおよびウィリアムス（Williams）D B、センサアレイおよびマルチチャネル信号処理ワークショップ（Sensor Array and Multichannel Signal Processing Workshop）、２０００年、１４９行目から１５２行目を参照されたい。ＯＦＤＭを用いる実施例では、変調器２６ａ、２６ｂはマルチキャリア変調器であり、復調器２８ａ、２８ｂはマルチキャリア復調器である。チャネル推定および最尤検出は、各々の周波数キャリアで別個に実行される。この実施例を利用して、ＯＦＤＭを用いる８０２．１１ａ規格を実行してもよい。
【００３４】
線形スロットアンテナ
送信アンテナおよび受信アンテナのための好ましいアンテナの形態をここで説明する。第１の形態のアンテナは、図７ａおよび図７ｂに示すような線形スロットアンテナであり、これらの図面はそれぞれ、平面図および平面Ａ−Ａを通る断面図を示す。線形スロットアンテナは、上面にスロット４２がエッチングされた空洞４６を含む。アンテナへの信号は、コネクタ４４を介して、空洞の中央に位置するストリップ導体４０に送られる。空洞４６の基部は、接地平面上に取付けられる。極性の方向を、図７ａの矢印Ｐで示している。
【００３５】
各々が外面を銅で被覆されている２つの長方形の誘電体板の間にストリップ導体４０を挟むことで、線形スロットアンテナの原型を構成した。誘電体板は、誘電率が２．２のＲＴ／Turoidであってもよい。１つの外面にスロット４２をエッチングし、板の縁部を銅箔で密閉して、空洞４６を形成した。ストリップ導体４０の端部に、空洞４６から突出するＳＭＡコネクタポート４４を装着した。この例では、アンテナは、２．４および５．２ＧＨｚ帯域の両方での使用に対して設計され、その寸法は５０×２０×３．２ｍｍである。
【００３６】
線形スロットアンテナを２５０×２５０ｍｍの接地平面上に取付け、異なる極性で５．２ＧＨｚでの遠視野ゲインを三次元で測定した。図８ａおよび図８ｂは、それぞれ水平極性および垂直極性のゲインを示す。データをさらに処理して、図９ａに示す共通極性のパターンおよび図９ｂに示す直交極性のパターンを生じさせるようにした。明らかに、共通極性のパターンが優位となる。これらのパターンのリップルは、接地平面の回折によるものであってもよい。パターンは、双極子のビームと類似する広いビームを呈するが、接地平面のために本質的には半球体である。２．４ＧＨｚでも同様の結果が得られたが、違いは、波長に比べて接地平面のサイズが小さいために、効率および指向性が低下した点にある。パターン性能の概要を、以下に示す。
【００３７】
【表３】
2008504774.tif 000005
【００３８】
環状スロットアンテナ
この発明の実施例での使用に適した第２の形態のスロットアンテナは、図１０に示すような環状スロットアンテナである。環状スロットアンテナは、線形スロットアンテナに類似しているが、例外は、六角形である空洞４６の上面に環状スロット４２を有し、かつ、ストリップ導体４０ａ、４０ｂ、４０ｃに対応する３つのポート４４ａ、４４ｂ、４４ｃを有し、これらのポートは、六角形の中央に向かって、空洞４６の上面および下面に平行に、かつ、上面および下面から等距離のところで延在している点である。
【００３９】
ポートの１つ４４ａに信号が与えられているときの環状スロットアンテナの遠視野アンテナパターンを、水平極性については図１１ａに示し、垂直極性については図１１ｂに示す。他のポート４４ｂ、４４ｃの一方に信号を与えることによって生じるアンテナパターンは、図示のパターンに対して１２０°回転している。
【００４０】
ポートの２つ以上に異なる位相または異なる振幅の信号を与えることで、異なるビームパターンを生成できる。たとえば、図１２ａおよび図１２ｂは、各々のポートに同じ信号を加えた（すなわち、Ａ＋Ｂ＋Ｃ）場合の共通極性の反応および直交極性の反応をそれぞれ示す。その結果は、接地平面の上方に単極によって生成されるパターンに類似する。図１３ａおよび図１３ｂは、ポートの２つ４４ｂ、４４ｃに逆相の２つの信号を加えた（すなわち、Ｂ−Ｃ）場合の共通極性の反応および直交極性の反応をそれぞれ示す。その結果は、広い分極されたビームとなる。図１４ａおよび図１４ｂは、ポート４４ａに信号を加え、かつ、他の２つのポート４４ｂ、４４ｃに片振幅で逆相の信号を加えた（すなわち、Ａ−（Ｂ＋Ｃ）／２）場合の共通極性の反応および直交極性の反応をそれぞれ示す。その結果は、分極され、かつ、図１３ａおよび図１３ｂのビームに直交して指向された広いビームとなる。
【００４１】
したがって、単一の環状スロットアンテナによって、２つの直交して分極されたビームを、一方のビームが他方のヌルに重なるように生成することができ、さらにこのアンテナを用いて、２つのアンテナ６ａ、６ｂまたは８ａ、８ｂを実現することができる。
【００４２】
アンテナの取付け
線形スロットアンテナおよび環状スロットアンテナの寸法は、それらが、無線ゲートウェイ４のためのハウジングのような、金属製のハウジングの外面上に簡便に取付けられることを可能にする。ハウジングのその面はそこで、接地平面として作用する。さらに、このことで、アンテナを、無線ゲートウェイ４の外面と実質的に同一平面になるように取付けることができ、好ましくは、プラスチックなどの誘電率の低い材料からなる非導電性カバーで保護できるようになる。
【００４３】
図１５は、無線ゲートウェイ４のための立方形ハウジング４８を示し、ハウジング４８の上面、前面および側面上の線形スロットアンテナのスロット４２のための可能な位置ａ１からａ８を示す。ハウジング４８の幅、高さおよび奥行きにそれぞれ平行して、ｘ軸、ｙ軸およびｚ軸の方向も示す。位置ａ１、ａ３およびａ７はｘの方向にあり、ａ２、ａ４およびａ６はｙの方向にあり、ａ５およびａ８はｚの方向にある。対の線形スロットアンテナ間で直交する極性を得るには、アンテナを異なる軸に沿って方向付けるか、またはアンテナが少なくとも異なる軸に沿って実質的な広がりを有する必要がある。
【００４４】
位置ａ１からａ８の各々および直交する対の位置の組合せについて、アンテナパターンをテストした。異なる位置にあるアンテナパターン間の主な相違は、アンテナパターンの配向、および、アンテナが取付けられ、かつ、接地平面として作用するハウジング４８の面の異なる寸法の影響にある。たとえば、位置ａ７およびａ８のように、接地平面が大きいほど、よりよい性能が得られる。しかしながら、最適な受信可能範囲のパターンは、アンテナが実質的に一所にあるが、直交している位置ａ３およびａ４の組合せで得られた。これらの位置は、前面に平行して４５°回転させて、ハウジング４８の比較的低い高度の影響を軽減するようにしてもよい。この例では、ハウジング４８の寸法は、図１５に示すｘ、ｙおよびｚの方向で３００×６０×２１０ｍｍであった。
【００４５】
図８ａおよび図９ａからわかるように、線形スロットアンテナのパターンは、これらの図面の＋ｘ方向および−ｘ方向における指向性ビームと、＋ｙ方向および−ｙ方向におけるヌルとを含む。ｘ−ｙ平面に同様の直交するアンテナを追加する場合、一方のアンテナの指向性ビームは、他方のアンテナのヌルに重なり、ｚ軸の周囲およびｘ−ｙ平面からの高度において、ほぼ全指向性のパターンを生じる。したがって、極性ダイバーシティを与えるという利点とは別に、直交するスロットアンテナは、少なくとも１つの半球形でほぼ全指向性の受信可能範囲パターンを提供する。この構成は、家庭の環境で無線ネットワークを用いるときにしばしば見受けられるヌルを回避するのに役立つ。直交するアンテナによって、三次元でほぼ均一な受信可能範囲が提供されることで、ネットワークは、複数の階および同じ階上の異なる部屋で利用可能となる。
【００４６】
同じ装置で、２つ以上の対の送信アンテナ６ａ、６ｂまたは受信アンテナ８ａ、８ｂを用いることができる。たとえば、完全な球形の受信可能範囲が必要な場合、１対のアンテナを、ハウジング４８の２つの対向する面の各々に配置し、各対の一方を同じ信号で駆動させることができる。
【００４７】
第１の無線受信機１０では、類似の直交するアンテナ構成を用いることができる。直交するアンテナによって受信可能範囲が複合化されて均一になると、良好な受信を得るために受信機装置を送信アンテナ６ａ、６ｂと整列させる必要がなくなる。このことは、特に受信機１０が携帯用である場合に重要である。
【００４８】
直交するスロットアンテナの受信可能範囲の利点は、上述の分極時間ブロック符号の場合と同様、データが送信アンテナの異なる極性の間で冗長的に送信されるときに特に際立つ。受信機が一方のアンテナのヌルにある場合でも、データは他方のアンテナの指向性ビ
ームで受信可能である。
【００４９】
無線衛星放送ゲートウェイ
図１６に、この発明の１つの特定の実施例における無線ゲートウェイ４の詳細を示す。この実施例では、無線ゲートウェイ４は、ハウジング４８に一体化される衛星放送受信機を含む。この実施例における衛星放送受信機は、出願人のSky+ＲＴＭセットトップボックスに基づいている。
【００５０】
パラボラアンテナ５０は、衛星テレビ放送ネットワークから衛星テレビ放送信号を受信する。受信された信号は、第１および第２のチューナ５２ａ、５２ｂに入力されるが、任意の複数のチューナを用いてもよい。チューナ５２ａ、５２ｂは、同じまたは異なるテレビ番組を同時に受信するために、衛星テレビ放送ネットワークの同じまたは異なるチャネルに合わせることができる。第１のチューナ５２ａおよび第２のチューナ５２ｂからの信号は、四位相変調キー（ＱＰＳＫ）変調器５６に渡され、この変調器はさらに、順方向誤信号訂正を実行することもできる。ゲートウェイ４はハードディスク５８を有し、ハードディスクは、復調器５６から、記録およびその後の再生のために、受信されたテレビ番組に相当する圧縮されたビデオデータおよびオーディオデータを受信する。
【００５１】
受信された信号は、デジタル処理で符号化されたデータを含む。この例では、データは、デジタルビデオ放送／動画エキスパートグループ２（ＤＶＢ／ＭＰＥＧ２）規格を用いて圧縮され、この規格によって、番組データおよび追加データ（たとえば、双方向サービスデータ）の両方が、単一のチャネルで送信可能となる。ＤＶＢ／ＭＰＥＧ２では、高い圧縮率が得られるようになる。データは、ビデオデータおよびオーディオデータなどのメディアデータと、ユーザサービスデータおよび番組スケジューリングデータなどのサービスデータとの両方を含んでいてもよい。サービスデータは、メディアデータとは別個に処理および保存することができ、さらに、このデータを利用して番組ガイド機能を提供することができる。ハードディスク５８は、圧縮および暗号化されたメディアデータを受信して保存する。
【００５２】
受信機を含む無線ゲートウェイ４の機能は、バス７２によってその他の構成要素と相互接続されるプロセッサ７０によって制御される。プロセッサ７０は、ＲＡＭと、オペレーティングシステムおよびアプリケーションを保存するためのフラッシュメモリと、ＲＯＭとを含むメモリ６８にアクセスできる。
【００５３】
プロセッサ７０は、チューナ５２ａおよび５２ｂを調節することにより、所望のチャネルの信号を受信するよう、かつ、ハードディスク５８を制御することにより、所望のテレビ番組を録画するか、または以前に録画したテレビ番組を再生するよう、受信機の動作を制御する。視聴者による所望の番組および顧客サービスの選択は、アンテナ６ａ、６ｂの一方または両方を介して受信され、かつ、コマンド受信機７６によって復号化される遠隔ユーザコマンドによって制御される。これらのコマンドは低帯域幅信号を用いるので、ダイバーシティの受信は必要ないが、ダイバーシティを使用することは可能である。
【００５４】
選択された番組またはサービスは、暗号化されたメディアストリームとして、復調器５６から直接、またはハードディスク５８から、理解を促すためマッパ機能２２を含むＳＴＢＣ符号器２４および変調器２６ａと２６ｂに出力され、上述のＰＴＢＣ伝送技術を用いて、アンテナ６ａ、６ｂを介して伝送される。
【００５５】
プロセッサ７０および／または専用チップセットによって、ＭＡＣ層および無線ネットワークプロトコルが実現可能である。この例では、ネットワークプロトコルは、５．２ＧＨｚ帯域での伝送を伴なう８０２．１１ａ規格に準拠している。好ましくは、動作はモー
ド５、６および７に限定され、少なくとも１つのビデオストリームに必要な帯域幅を提供する。Hiperlan／２、８０２．１１または８０２．１１ｅのＭＡＣ層を用いてもよい。
【００５６】
ネットワークプロトコルによって、十分な帯域幅が利用可能である場合、異なる受信機１０、１８に対して異なるメディアストリームを同時に送信することが可能となる。無線ゲートウェイは、たとえば複数のヘッド、冗長性を有するハードディスクアレイまたは時分割読出およびバッファリングを用いることで、ハードディスク５８から、および／または復調器５６から、ほぼ同時に複数のストリームを読出すことができる。
【００５７】
無線ゲートウェイは、ＰＳＴＮへの接続のためのダイヤルアップモデムまたはＤＳＬモデムなどのデータ通信インターフェイス６６を含み、遠隔システムとの双方向通信サービスを可能にし、かつ、インターネットからストリーミングメディアデータを受信するようにしてもよい。
【００５８】
無線受信機
この実施例における無線ゲートウェイ４で使用する受信機１０のより詳細な図を、ここで図１７を参照して説明する。受信機１０は、図２にあるように、受信アンテナ８ａ、８ｂと、復調器２８ａ、２８ｂと、チャネル推定器３２ａ、３２ｂと、最尤検出器３０とを含み、上述したように、最大比合成を用いて、メディアストリームを受信および復号化する。
【００５９】
復号化されたメディアストリームは、メディア復号器８０に渡され、メディア復号器はメディアストリームを解読し、かつ、それをＭＰＥＧ２規格を用いてオーディオおよびビデオデータに復号化する。解読には、スマートカード８６に記憶され、かつ、スマートカードリーダ８４によって読取られる暗号化キーを用いてもよい。オーディオおよびビデオデータは、ビデオインターフェイス８２によって、視聴覚ディスプレイ１２に出力されるように変換される。ビデオインターフェイス８２は、ＳＣＡＲＴインターフェイスであってもよい。
【００６０】
リモートコントロール１４は、たとえばフィリップス（Philips）が開発したＲＣ６規格によって規定されるような、対応するＩＲコードを生成する、ユーザが作動可能なキーを有する。これらの信号は、ＩＲ受信機９２によって受信され、コマンド復号器９０によって復号化され、そしてバス９４によって受信機の構成要素に接続されているプロセッサ８８に入力される。プロセッサ８８は、対応するコマンド信号を、変調器９６およびアンテナ８ａ、８ｂの一方または両方を介して、無線ネットワークを通じて無線ゲートウェイ４に送信する。
【００６１】
無線ゲートウェイ４は、無線ネットワークを通じて受信機１０に送信されたメディアストリームのコンテンツを変更することによって、コマンド信号に応答する。たとえば、ユーザはリモートコントロール１４を用いて、受信されたテレビ番組を変更したり、受信されたテレビ番組内を後方もしくは前方にスキップもしくは走査したり、またはチューナ５２ａ、５２ｂのいずれかによって受信されたチャネルを変更したりすることができる。ユーザはさらに、無線ゲートウェイ４によって実行される双方向の番組とやり取りを行なうこともできる。
【００６２】
図１８に、この実施例における第２の受信機１８の詳細版を示す。第１の受信機１０の部分と同様の部分は、同じ参照番号を付して示し、その説明はここでは繰返さない。この特定の実施例において、第２の受信機は、オーディオプレーヤが受信機１８と統合された、一体型携帯用無線オーディオ装置である。この装置は、少なくとも１つのスピーカ９７（好ましくは、ステレオスピーカ）と、コマンド信号を生成するキーパッド９９と、番組
情報を表示するディスプレイ９８とを含む。この実施例では、第２の受信機１８は、無線ゲートウェイ４によって受信され、および／またはハードディスク５８から取出される、ラジオ番組などのオーディオストリームまたはテレビ番組のオーディオコンテンツを解読および復号化することができる。オーディオストリームの受信およびユーザコマンドの送信には１つのアンテナ１６のみが使用されるが、より良好な受信性能が必要な場合、第１の受信機１０と同様、受信ダイバーシティおよび最大比合成とともに２つのアンテナを用いてもよい。
【００６３】
代替の実施例
上記の実施例は、例示によって記載したものであり、この発明の範囲を制限することを意図するものではない。上記の説明を読むことで、その他の代替例も想定できるが、それらもこの発明の範囲に含まれ得る。
【図面の簡単な説明】
【００６４】
【図１】この発明の実施例における無線ネットワークの概略図である。
【図２】２つの受信アンテナを有する受信機を含む無線ネットワークで用いられるブロック符号アーキテクチャの概略図である。
【図３】単一の受信アンテナを有する受信機を含む無線ネットワークで用いられるブロック符号アーキテクチャの概略図である。
【図４】ａおよびｂは、ダイバーシティを伴なわないシミュレーションにおける、異なる８０２．１１ａモードのＳＮＲに対するＢＥＲのグラフである。
【図５】ａおよびｂは、ＳＴＢＣおよび単一の受信アンテナを伴なうシミュレーションにおける、異なる８０２．１１ａモードのＳＮＲに対するＢＥＲのグラフである。
【図６】ａおよびｂは、ＳＴＢＣおよび２つの受信アンテナを伴なうシミュレーションにおける、異なる８０２．１１ａモードのＳＮＲに対するＢＥＲのグラフである。
【図７】ａおよびｂは、無線ネットワークで用いられる線形スロットアンテナを示す図である。
【図８】ａおよびｂは、水平極性の線形スロットアンテナの遠視野ゲインパターンを示す図である。
【図９】ａおよびｂは、線形スロットアンテナの共通極性パターンを示す図である。
【図１０】無線ネットワークで使用される環状スロットアンテナの平面図である。
【図１１】ａおよびｂは、水平極性の環状スロットアンテナの遠視野ゲインパターンを示す図である。
【図１２】ａおよびｂは、すべての供給物に加えられる同等の信号についての環状スロットアンテナの共通極性の構成要素を示す図である。
【図１３】ａおよびｂは、供給物のうち２つの間で逆相で加えられる信号についての環状スロットアンテナの共通極性の構成要素を示す図である。
【図１４】ａおよびｂは、１つの供給物に与えられる信号、および他の２つの供給物に逆相および片振幅で与えられる同一の信号についての環状スロットアンテナの共通極性の構成要素を示す図である。
【図１５】無線ネットワーク装置のハウジング上の可能なアンテナ位置を示す図である。
【図１６】複合化された衛星テレビ受信機および無線ゲートウェイを含む実施例の概略図である。
【図１７】無線ゲートウェイとともに使用される第１の受信機の概略図である。
【図１８】無線ゲートウェイとともに使用される第２の受信機の概略図である。
【図１】
2008504774.tif 000006
【図２】
2008504774.tif 000007
【図３】
2008504774.tif 000008
【図４ａ】
2008504774.tif 000009
【図４ｂ】
2008504774.tif 000010
【図５ａ】
2008504774.tif 000011
【図５ｂ】
2008504774.tif 000012
【図６ａ】
2008504774.tif 000013
【図６ｂ】
2008504774.tif 000014
【図７ａ】
2008504774.tif 000015
【図７ｂ】
2008504774.tif 000016
【図８ａ】
2008504774.tif 000017
【図８ｂ】
2008504774.tif 000018
【図９ａ】
2008504774.tif 000019
【図９ｂ】
2008504774.tif 000020
【図１０】
2008504774.tif 000021
【図１１ａ】
2008504774.tif 000022
【図１１ｂ】
2008504774.tif 000023
【図１２ａ】
2008504774.tif 000024
【図１２ｂ】
2008504774.tif 000025
【図１３ａ】
2008504774.tif 000026
【図１３ｂ】
2008504774.tif 000027
【図１４ａ】
2008504774.tif 000028
【図１４ｂ】
2008504774.tif 000029
【図１５】
2008504774.tif 000030
【図１６】
2008504774.tif 000031
【図１７】
2008504774.tif 000032
【図１８】
2008504774.tif 000033
【国際調査報告】
2008504774.tif 000034
2008504774.tif 000035
2008504774.tif 000036
2008504774.tif 000037
2008504774.tif 000038
2008504774.tif 000039